(57)【特許請求の範囲】
【請求項１】
コンピュータシステムと専用機能システムとを備える情報機器装置と、前記情報機器装置の電源をオン／オフする操作情報を無線により出力するリモコン装置とを備える情報機器システムであって、
前記情報機器装置は、
前記リモコン装置と無線通信行う通信手段と、
前記リモコン装置を識別するＩＤを登録するＩＤ登録手段と、
前記ＩＤ登録手段に登録されたＩＤをもつリモコン装置との無線接続を行う制御手段とを備え、
前記制御手段は、
前記コンピュータシステムが非稼動中に、前記リモコン装置から前記情報機器装置の電源のオン／オフを操作する操作情報を受信した時、
前記リモコン装置を識別するＩＤに関係なく、前記専用機能システムが非稼動の時には、該専用機能システムを稼動させ、該専用機能システムが稼動の時には、該専用機能システムを停止させることを特徴とする情報機器システム。
【請求項２】
コンピュータシステムと専用機能システムとを備える情報機器装置と、前記情報機器装置の電源をオン／オフする操作情報を無線により出力するリモコン装置とを備える情報機器システムであって、
前記情報機器装置は、
前記リモコン装置と無線通信行う通信手段と、
前記リモコン装置を識別するＩＤを登録するＩＤ登録手段と、
前記ＩＤ登録手段に登録されたＩＤをもつリモコン装置との無線接続を行う制御手段とを備え、
前記制御手段は、
前記コンピュータシステムが稼動中に、前記リモコン装置から前記情報機器装置の電源のオン／オフを操作する操作情報を受信した時、
あらかじめ登録された自己が制御されるべきリモコン装置のＩＤと一致した場合には、該コンピュータシステムの稼動を停止させ、該ＩＤが一致しなかった場合には、該コンピュータシステムの稼動の停止をしないことを特徴とする情報機器システム。
【請求項３】
コンピュータシステムと専用機能システムとを備える情報機器装置と、前記情報機器装置の電源をオン／オフする操作情報を無線により出力するリモコン装置とを備える情報機器システムであって、
前記情報機器装置は、
前記コンピュータシステムと前記専用機能システムのいずれかを表示対象とするかを選択する表示選択手段と、
前記リモコン装置と無線通信行う通信手段と、
前記リモコン装置を識別するＩＤを登録するＩＤ登録手段と、
前記ＩＤ登録手段に登録されたＩＤをもつリモコン装置との無線接続を行う制御手段とを備え、
前記制御手段は、
前記情報機器装置の電源オフ時に、前記リモコン装置から前記情報機器装置の電源のオン／オフを操作する操作情報を受信した時、
前記リモコン装置を識別するＩＤに関係なく、前記コンピュータシステムと前記専用機能システムとを稼動させるとともに、
前記表示選択手段により該専用機能システムを表示対象とすることを特徴とする情報機器システム。
【請求項４】
コンピュータシステムと専用機能システムとを備える情報機器装置と、前記情報機器装置の電源をオン／オフする操作情報を無線により出力するリモコン装置とを備える情報機器システムであって、
前記情報機器装置は、
前記コンピュータシステムと前記専用機能システムのいずれかを表示対象とするかを選択する表示選択手段と、
前記リモコン装置と無線通信行う通信手段と、
前記リモコン装置を識別するＩＤを登録するＩＤ登録手段と、
前記ＩＤ登録手段に登録されたＩＤをもつリモコン装置との無線接続を行う制御手段とを備え、
前記制御手段は、
前記情報機器装置の電源オンで前記コンピュータシステムと前記専用機能システムとが共に稼働している状態で、かつ前記表示選択手段により該コンピュータシステムが表示対象である時、
前記リモコン装置から前記情報機器装置の電源のオン／オフを操作する操作情報を受信した時、
あらかじめ登録された自己が制御されるべきリモコン装置のＩＤと一致した場合には、前記表示選択手段により該専用機能システムを表示対象とすることを特徴とする情報機器システム。
【請求項５】
コンピュータシステムと専用機能システムとを備える情報機器装置と、前記情報機器装置の電源をオン／オフする操作情報を無線により出力するリモコン装置とを備える情報機器システムであって、
前記情報機器装置は、
前記コンピュータシステムと前記専用機能システムのいずれかを表示対象とするかを選択する表示選択手段と、
前記リモコン装置と無線通信行う通信手段と、
前記リモコン装置を識別するＩＤを登録するＩＤ登録手段と、
前記ＩＤ登録手段に登録されたＩＤをもつリモコン装置との無線接続を行う制御手段とを備え、
前記制御手段は、
前記情報機器装置の電源オンで前記コンピュータシステムと前記専用機能システムとが共に稼働している状態で、かつ前記表示選択手段により該専用機能システムが表示対象である時、
前記リモコン装置から前記情報機器装置の電源のオン／オフを操作する操作情報を受信した時、
あらかじめ登録された自己が制御されるべきリモコン装置のＩＤと一致した場合には、前記情報機器装置の電源をオフすることを特徴とする情報機器システム。
【請求項６】
コンピュータシステムと専用機能システムとを備える情報機器装置と、前記情報機器装置に情報を入力する入力装置と、前記情報機器装置の電源をオン／オフする操作情報を無線により出力するリモコン装置とを備える情報機器システムであって、
前記入力装置は、
前記情報機器装置に接続するためのインタフェース手段と、
前記リモコン装置と無線通信行う通信手段と、
前記リモコン装置を識別するＩＤを登録するＩＤ登録手段と、
前記ＩＤ登録手段に登録されたＩＤをもつリモコン装置との無線接続を行う制御手段とを備え、
前記ＩＤ登録手段に登録されたＩＤと一致するＩＤをもつリモコン装置からの操作情報を、前記インタフェース手段を経由して前記情報機器装置に出力するとともに、前記情報機器装置の電源のオン／オフの操作情報については、前記リモコン装置を識別するＩＤに関係なく、前記インタフェース手段を経由して前記情報機器装置に出力することを特徴とする情報機器システム。
【請求項７】
前記専用機能システムは、前記コンピュータシステムとは独立してオン／オフ起動できることを特徴とする請求項１乃至６のいずれか一項に記載の情報機器システム。
【発明の詳細な説明】
【０００１】
【発明の属する技術分野】
本発明は、パーソナルコンピュータ（ＰＣ）等の情報機器装置の入力装置と、無線による情報の送信が可能なリモートコントロール装置（以下、リモコン装置という）とを備え、利用者の操作情報を情報機器装置本体に送信する情報機器システムに関する。
【０００２】
【従来の技術】
ビデオデッキやテレビなどの映像機器、音響機器、空調機器といった電化機器には、リモコン装置が付属するものが多く、室内の離れた場所から電化機器を操作することができるようになっている。リモコン装置は、電化機器への制御信号の送出に赤外線を使用するのものが主流である。また、パーソナルコンピュータ（ＰＣ）等の情報機器装置にあってもＴＶ受信機能や録画機能などを備えたものがあり、これらの機能を家電感覚で使用するためのリモコン装置が用意されている。
【０００３】
また、ＰＣ等の情報機器装置においては、入力装置としてのキーボード、ウィンドウ及びメニュー項目を選択するためのカーソルの移動や操作位置決定用に、マウス等ポインティングデバイスが利用されるのが一般的となっている。
【０００４】
上記キーボードやポインティングデバイスも、高機能化に関してさまざまな改良が加えられている。例えば、コードレスキーボードやコードレスマウスが商品化されている。また、伝達手段にはＩＲ（赤外線：InfraredRays）を使用する光通信ポート部を搭載するものが多いが、電波を用いた無線も使用される。
【０００５】
ところで、従来、ＰＣに代表される情報機器装置において、ＴＶ表示機能に代表されるＡＶ機能を実現する際、ＰＣシステム起動化で実行可能なアプリケーションソフトウェア（ＡＰ）で実現される。しかし、この方法では、ＰＣシステムが稼動する（ＰＣアプリケーションソフトウェアが実行可能な環境になる）までの時間が長い、ＰＣシステムの操作が難しい等の、ＡＶ機能を情報機器装置のアーキテクチャに組み込むが故の課題があった。すなわち、パソコンの操作やＯＳ（オペレーティング・システム）に精通又は慣れている者以外の操作者が、例えばＡＰを起動し、起動したＡＰを操作するなど、パソコンを操作するには手間がかかり、煩わしい等の課題があった。
【０００６】
そこで、例えば、特開平１１−１５５９０号公報には、パソコン本体とテレビ受信機を遠隔操作するリモコン装置から送信されたコードをリモコン操作解読部が解読するとともに、その解読結果に対応するコマンドをパソコン本体に入力すると、コマンドに対応する処理を実行し、この実行によってパソコン本体から出力される画像信号及び音声信号をテレビ受信機の空チャンネルに対応する信号に変調して出力するパソコンシステムが開示されている。
【０００７】
【発明が解決しようとする課題】
しかしながら、このような従来の情報機器装置にあっては、以下のような問題点があった。
【０００８】
従来より、情報機器の入力装置（キーボードやマウスが一般的であるが、リモコン装置もある）に対する利用者の入力情報をコードレスで情報機器装置本体に出力する際には、家電機器のリモコン装置と異なり、入力情報とともに出力される、入力装置を特定する識別コードをもって、自分（情報機器装置本体）がコントロールされるべき入力装置から出力された入力情報か否かを判定制御している。これは、近くに２以上の情報機器が存在する場合に誤操作を防ぐための制御であり、ある情報機器を操作しようとして入力された入力装置の出力が、利用者の意図しない他の情報機器に影響を与えないようにする。例えば、ＴＶのリモコン操作の際に、「あるＴＶに向けて電源オンボタンを押したら、別の部屋の利用者の意図しないＴＶの電源がオンした」といった不具合を防止するものである。
【０００９】
特に、ＡＶ／家電機器は、ＴＶを見るや音楽を聴く等であり、利用者が何も操作しない状態でも機器を利用できるのに対し、ＰＣシステムでは、利用者が操作／入力することにより文書作成やインターネットブラウジング等を行うものであること、またＰＣシステムの起動までに時間を要する等の特徴がある。したがって、ＰＣシステムが勝手に起動する、意図しないＡＶ機能が動作してしまう等、利用者の意図しない別の機器に影響を与えないことは、情報機器としては、最低必須の条件である。
【００１０】
ところが、上記公報記載の装置では、リモコン操作を行うパソコンシステムでありながら上記に対する配慮がない。すなわち、リモコン装置からの電源オン／オフ（特にオフ）に対して、パソコン本体の電源をオン／オフ（特にオフ）制御を行っているものの、あらゆるリモコン装置からの出力情報が対象となっていることから、誤って、利用者が意図していないパソコン本体がオンされたり、オフされたりすることが想定され、特に、誤ったオフ制御は、誤ってオフ制御されたパソコンが使用中である場合も考えられることから、入力データが喪失する等、致命的な問題となり得る。
【００１１】
本発明は、このような課題に鑑みてなされたものであって、情報機器装置としての誤動作防止という最低必須条件を満たしながら、家電機器の使い勝手の良さを情報機器装置上で実現することができる情報機器システムを提供することを目的とする。
【００１２】
【課題を解決するための手段】
本発明の情報機器システムは、コンピュータシステムと専用機能システムとを備える情報機器装置と、前記情報機器装置の電源をオン／オフする操作情報を無線により出力するリモコン装置とを備える情報機器システムであって、前記情報機器装置は、前記リモコン装置と無線通信行う通信手段と、前記リモコン装置を識別するＩＤを登録するＩＤ登録手段と、前記ＩＤ登録手段に登録されたＩＤをもつリモコン装置との無線接続を行う制御手段とを備え、前記制御手段は、前記コンピュータシステムが非稼動中に、前記リモコン装置から前記情報機器装置の電源のオン／オフを操作する操作情報を受信した時、前記リモコン装置を識別するＩＤに関係なく、前記専用機能システムが非稼動の時には、該専用機能システムを稼動させ、該専用機能システムが稼動の時には、該専用機能システムを停止させることを特徴としている。
このように構成された本発明の情報機器システムは、ＴＶ等の家電機器の融通性／操作性を、情報機器（情報家電機器）においても実現することができる。
【００１３】
本発明の情報機器システムは、コンピュータシステムと専用機能システムとを備える情報機器装置と、前記情報機器装置の電源をオン／オフする操作情報を無線により出力するリモコン装置とを備える情報機器システムであって、前記情報機器装置は、前記リモコン装置と無線通信行う通信手段と、前記リモコン装置を識別するＩＤを登録するＩＤ登録手段と、前記ＩＤ登録手段に登録されたＩＤをもつリモコン装置との無線接続を行う制御手段とを備え、前記制御手段は、前記コンピュータシステムが稼動中に、前記リモコン装置から前記情報機器装置の電源のオン／オフを操作する操作情報を受信した時、あらかじめ登録された自己が制御されるべきリモコン装置のＩＤと一致した場合には、該コンピュータシステムの稼動を停止させ、該ＩＤが一致しなかった場合には、該コンピュータシステムの稼動の停止をしないことを特徴としている。
【００１４】
このように構成された本発明の情報機器システムは、ＴＶ等の家電機器と異なり、ＰＣシステム形態をとる情報機器装置は、起動に時間がかかるため、リモコン装置による電源のシステム停止操作を、すべてのリモコン装置を対象とすることによる発生する不具合を防止することができる。
【００１５】
本発明の情報機器システムは、コンピュータシステムと専用機能システムとを備える情報機器装置と、前記情報機器装置の電源をオン／オフする操作情報を無線により出力するリモコン装置とを備える情報機器システムであって、前記情報機器装置は、前記コンピュータシステムと前記専用機能システムのいずれかを表示対象とするかを選択する表示選択手段と、前記リモコン装置と無線通信行う通信手段と、前記リモコン装置を識別するＩＤを登録するＩＤ登録手段と、前記ＩＤ登録手段に登録されたＩＤをもつリモコン装置との無線接続を行う制御手段とを備え、前記制御手段は、前記情報機器装置の電源オフ時に、前記リモコン装置から前記情報機器装置の電源のオン／オフを操作する操作情報を受信した時、前記リモコン装置を識別するＩＤに関係なく、前記コンピュータシステムと前記専用機能システムとを稼動させるとともに、前記表示選択手段により該専用機能システムを表示対象とすることを特徴としている。
このように構成された本発明の情報機器システムは、ＴＶ等の家電機器の融通性／操作性を、情報機器（情報家電機器）においても実現することができる。
【００１６】
本発明の情報機器システムは、コンピュータシステムと専用機能システムとを備える情報機器装置と、前記情報機器装置の電源をオン／オフする操作情報を無線により出力するリモコン装置とを備える情報機器システムであって、前記情報機器装置は、前記コンピュータシステムと前記専用機能システムのいずれかを表示対象とするかを選択する表示選択手段と、前記リモコン装置と無線通信行う通信手段と、前記リモコン装置を識別するＩＤを登録するＩＤ登録手段と、前記ＩＤ登録手段に登録されたＩＤをもつリモコン装置との無線接続を行う制御手段とを備え、前記制御手段は、前記情報機器装置の電源オンで前記コンピュータシステムと前記専用機能システムとが共に稼働している状態で、かつ前記表示選択手段により該コンピュータシステムが表示対象である時、前記リモコン装置から前記情報機器装置の電源のオン／オフを操作する操作情報を受信した時、あらかじめ登録された自己が制御されるべきリモコン装置のＩＤと一致した場合には、前記表示選択手段により該専用機能システムを表示対象とすることを特徴としている。
【００１７】
このように構成された本発明の情報機器システムは、リモコン装置によるシステム停止を、あらかじめ定められたものに限定することで、すべてのリモコン装置を対象とすることによる発生する不具合を防止することができる。
【００１８】
本発明の情報機器システムは、コンピュータシステムと専用機能システムとを備える情報機器装置と、前記情報機器装置の電源をオン／オフする操作情報を無線により出力するリモコン装置とを備える情報機器システムであって、前記情報機器装置は、前記コンピュータシステムと前記専用機能システムのいずれかを表示対象とするかを選択する表示選択手段と、前記リモコン装置と無線通信行う通信手段と、前記リモコン装置を識別するＩＤを登録するＩＤ登録手段と、前記ＩＤ登録手段に登録されたＩＤをもつリモコン装置との無線接続を行う制御手段とを備え、前記制御手段は、前記情報機器装置の電源オンで前記コンピュータシステムと前記専用機能システムとが共に稼働している状態で、かつ前記表示選択手段により該専用機能システムが表示対象である時、前記リモコン装置から前記情報機器装置の電源のオン／オフを操作する操作情報を受信した時、あらかじめ登録された自己が制御されるべきリモコン装置のＩＤと一致した場合には、前記情報機器装置の電源をオフすることを特徴としている。
【００１９】
このように構成された本発明の情報機器システムは、リモコン装置によるシステム停止を、あらかじめ定められたものに限定することで、すべてのリモコン装置を対象とすることによる発生する不具合を防止することができる。
【００２０】
本発明の情報機器システムは、コンピュータシステムと専用機能システムとを備える情報機器装置と、前記情報機器装置に情報を入力する入力装置と、前記情報機器装置の電源をオン／オフする操作情報を無線により出力するリモコン装置とを備える情報機器システムであって、前記入力装置は、前記情報機器装置に接続するためのインタフェース手段と、前記リモコン装置と無線通信行う通信手段と、前記リモコン装置を識別するＩＤを登録するＩＤ登録手段と、前記ＩＤ登録手段に登録されたＩＤをもつリモコン装置との無線接続を行う制御手段とを備え、前記ＩＤ登録手段に登録されたＩＤと一致するＩＤをもつリモコン装置からの操作情報を、前記インタフェース手段を経由して前記情報機器装置に出力するとともに、前記情報機器装置の電源のオン／オフの操作情報については、前記リモコン装置を識別するＩＤに関係なく、前記インタフェース手段を経由して前記情報機器装置に出力することを特徴としている。
【００２１】
このように構成された本発明の情報機器システムは、リモコン装置の操作情報をキーボード等の入力装置を経由して情報機器装置に送信するシステムにおいて、電源ボタン操作情報は、ＩＤに関係なく、情報機器装置本体に送信することができる。
【００２２】
また、より好ましくは、前記専用機能システムは、前記コンピュータシステムとは独立してオン／オフ起動できるものであってもよい。例えば、前記専用機能システムは、前記コンピュータシステム上でアプリケーションとして実行される形態ではなく、不変のプログラムコードによって実行されるファームウェア化されている専用システム、もしくは、ハードウェアにより構成された専用システムであってもよい。
【００２３】
【発明の実施の形態】
以下、添付図面を参照しながら本発明の好適な情報機器システムの実施の形態について詳細に説明する。
第１の実施の形態
図１は、本発明の第１の実施の形態の情報機器システムの外観を示す斜視図、図２は、情報機器装置本体及び入力装置の構成を示すブロック図である。本実施の形態に係る情報機器装置は、デスクトップ型ＰＣ、ノート型ＰＣ、ＰＤＡ等の携帯情報端末に接続されるキーボードと、ＴＶやビデオデッキ等を操作するリモコン装置を備えたシステムに適用した例である。
【００２４】
図１において、１００は液晶デスクトップ型パーソナルコンピュータ（ＰＣ）等の情報機器装置本体、２００は情報機器装置本体１００に有線により接続されるキーボード（入力装置<１>）、３００はキーボード２００（入力装置<１>）に無線により接続され、情報機器装置本体１００を操作するリモコン装置（入力装置<２>）、２４０は情報機器装置本体１００とキーボード２００（入力装置<１>）とを接続するケーブルである。なお、図示は省略されているが、上記リモコン装置３００と同様な機能を持つ他のリモコン装置（入力装置<３>）が、無線によりキーボード２００に接続可能である。
【００２５】
情報機器装置本体１００は、キーボード２００（入力装置<１>）からの操作情報、及びキーボード２００（入力装置<１>）を経由して入力されるリモコン装置３０（入力装置<２>）からの操作情報を基に統括的な制御を行う。
【００２６】
キーボード２００（入力装置<１>）は、情報機器装置本体１００と対になっている主入力装置であり、無線通信を行うためのアンテナ等を有する無線受信部２５０（通信手段）を備える。
【００２７】
リモコン装置３００（入力装置<２>）は、キーボード２００（入力装置<１>）とＩＲ等の無線通信を行う無線送信部３５０を備えている。
【００２８】
リモコン装置３００（入力装置<２>）の操作情報は、リモコン装置３００（入力装置<２>）−キーボード２００（入力装置<１>）間は無線で、またキーボード２００（入力装置<１>）−情報機器装置本体１００間は有線で、キーボード２００（入力装置<１>）を経由して、情報機器装置本体１００に出力される構成となっている。
【００２９】
図２において、情報機器装置本体１００は、ＰＣシステム（コンピュータシステム）とＴＶ表示システム（専用機能システム）との両機能が独立した形態（ＴＶ機能がＰＣアプリケーションとして実現されたものでなく、ハードウェア的に独立した形態）で実現されている。アプリケーションソフトウェアのプログラムコードやＯＳのプログラムコード等が記録されているハードディスクに代表される記録部２５を主として、その他に、プリンタ等の各種デバイス２８を制御するＰＣ制御部２０からなるグループ（Ａ）と、ＴＶチューナ等のＴＶ受信部３５と、ＴＶ受信部３５を制御するＴＶ制御部３０からなるグループ（Ｂ）、さらに、これら個々のグループに対し、ＡＣ電源８０の電源を供給／遮断する電源供給回路５０（電源供給回路Ａ）と電源供給回路５２（電源供給回路Ｂ）、また、個々のグループより出力される表示データを表示するＬＣＤディスプレイからなる表示部４０と、表示部４０に対し、ＡＣ電源８０の電源を供給／遮断する電源供給回路５４（電源供給回路Ｃ）を備える。また、情報機器装置本体１００内の主電源ボタン１５に対する利用者の操作情報と、インタフェース６０を介して、キーボード２００より出力されるキーボード２００やリモコン装置３００の操作情報とを入力し、前述の各ブロックの制御、もしくは、操作情報の出力を行うキー制御部１０と、キーボード２００で受信したリモコンコードやキー入力された信号を受けるインタフェース６０とを備えて構成される。キー制御部１０は、ＡＣ電源８０より常に電源供給されているブロックＤである。また、図示しないポインティングデバイスのマウスが接続可能である。
【００３０】
キー制御部１０には、リモコン装置３００からキーボード２００を経由して出力されたリモコンボタンの操作情報が、自機（情報機器装置本体１００）の入力装置対象のリモコン装置からの出力か否かを判断するために、自機（情報機器装置本体１００）の入力装置対象のリモコン装置の識別（ＩＤ）コードを記憶する対象リモコンＩＤ記憶部１２（ＩＤ登録手段）が接続されている。
【００３１】
キーボード２００は、利用者が個々のキー押下を電気信号に変換し、制御部２１０に出力する各キー２１５と、リモコン装置３００との無線通信を行うとともに、リモコン装置３００から送信されたＩＤコードやリモコンの操作情報を受信する無線受信部２５０とを備え、リモコン装置３００より出力された操作情報、及び各キー２１５の操作情報をケーブル２４０を介して情報機器装置本体１００に出力する。情報機器装置本体１００のインタフェース６０とキーボード２００間は、ケーブル２４０により接続されている。
【００３２】
図３は、ブロック間の入出力情報のデータ形式を表にして示す図である。
図３の表▲１▼は、キーボード２００から情報機器装置本体１００のキー制御部１０への出力情報のデータ形式を示しており、上記▲１▼からも分かるように、操作されたボタン／キーＮｏコード以外に、以下のコードを付属コードとして出力する。すなわち、キーボード２００からキー制御部１０への入出力データには、付属コードとして、キーボード２００の操作情報か、それともリモコン装置３００の操作情報かを識別するためのコード、キーボード２００の操作情報の場合には、Ｂｒｅａｋ（「キーから指を離した」を意味する）操作か、それともＭａｋｅ（「キーを押下した」を意味する）操作かを識別するコード、リモコン装置３００の操作情報の場合には、リモコン装置３００より出力された識別コードがそれぞれ付される。
【００３３】
図２に戻って、リモコン装置３００は、システム（ＴＶ）電源投入を意味する電源ボタン３１０と、チャンネル切替を意味するチャンネルボタン３１５等を含む複数のボタン（入力部）とを備え、これらボタンが押下されると、無線通信部３５０を介して、押下されたボタン情報が操作情報として出力される。また、リモコン装置３００には、このリモコン装置３００を特定するための識別（ＩＤ）コードがＩＤ記憶部３２０に記憶されている。リモコン装置３００は、各ボタン３１５押下を電気信号に変換し、押されたキーに対応するボタンコードをＩＤ記憶部３２０から読み出して、無線送信部３５０によりキーボード２００の無線受信部２５０に送信する。なお、このＩＤ記憶部３２０内の値は、出荷時固定（システム定数）であるが、ユーザ設定が可能なシステム変数としてもよい。
【００３４】
上記情報機器装置本体１００のＩＤ記憶部１２及びリモコン装置３００のＩＤ記憶部３２０には例えば揮発性のメモリが使用され、小さな２次電池によって、常に電源が供給される。あるいは、電気的に書換可能な不揮発性メモリであるＥＥＰＲＯＭ（electrically erasable programmable ROM）を用いてもよい。
【００３５】
上記キーボード２００の無線受信部２５０及びリモコン装置３００の無線送信部３５０は、具体的には、赤外線を利用してデータを伝送するための規格、ＩｒＤＡ（Infrared Data Association），ＡＳＫ等に準拠して光通信を行うためのＩ／Ｏポート、又は電波による無線通信ポートである。
【００３６】
図３の表▲２▼は、リモコン装置３００からキーボード２００への出力情報のデータ形式を示しており、上記▲２▼からも分かるように、無線通信媒体を用いて、操作データを出力することから、操作されたボタンＮｏ以外に、受側（この場合、キーボード２００側）で出力機器を特定するためのＩＤ（識別コード）が出力される。
【００３７】
上記識別コードを付与して出力する制御は、テレビのチャンネル切替用のリモコン装置や、ビデオの録画予約用のリモコン装置としては、あまり考慮されておらず、識別コードを付与せずに単に操作されたボタンＮｏを出力するのが一般的であると考えられる。しかし、解決課題で述べたように、パソコン等の情報機器装置に無線入力装置として使用するリモコン装置の場合、目的以外の情報機器に影響を与えるようなことがあると問題が大きい。例えば、パソコンのシステム起動は、比較的時間がかかり、また、システム起動中にシステム電源をオフすることは、システム異常を起こし得る。目的以外の隣のパソコンがリモコン装置の電源ボタンで誤って電源オン状態となってしまうと、利用者は、「システムが立ち上がるまで待つ」と言う、非常に無駄な時間を費やさなければならない。
【００３８】
この不具合を避けるため、識別コードを付与し、操作されたボタンＮｏが出力され、受信側であらかじめ設定されている自機（受信する側）に対応した入力装置からの出力か否かを前記識別コードを用いてチェックする方法を採用する。本実施の形態では、リモコン装置のあるボタンが押下された時の出力データとして、識別コードを操作されたボタンＮｏコードに付与して出力しており、また、このためにリモコン装置３００には、リモコン装置を特定するための識別コードをＩＤ記憶部３２０内に記録しておく。
【００３９】
図４は、標準的なＰＣシステムの基本構成を示す図である。本実施の形態の情報機器装置は、この情報処理装置１に適用できる。
図４において、情報処理装置１は、ＰＣシステム１０００、計時手段１０３０、入力手段１０３１、表示手段１０３２、ハードディスク１０３３、各種デバイス１０３４、電源供給回路Ａ１０４０、バッテリ電源１０４５、及び主電源ボタン１０４７を備えて構成される。このＰＣシステム１０００は、図２のＰＣ制御部２０に対応するものである。同様に、上記ハードディスク１０３３、各種デバイス１０３４及び電源供給回路Ａ１０４０は、図２の記録部（ハードディスク）２５、各種デバイス２８及び電源供給回路Ａ５０にそれぞれ対応している。
【００４０】
ＰＣシステム１０００のソフトウェアのアーキテクチャは、ＢＩＯＳ（Basic Input/Output System）とＯＳ（Operating System）と呼ばれる２つのシステムコード部（ＰＣシステム１／ＰＣシステム２）により構成されている。一般的にＢＩＯＳのプログラムコードは、電源供給されにくとも記録内容は消失しない不揮発性の記録媒体であるコード記録部１１１１に、ＯＳのプログラムは、揮発性の記録媒体のコード記録部１１２１に記録され、ＣＰＵからなる演算部１０１５で、個々のプログラムコードが実行され得るように構成されている。
【００４１】
システム（装置）の電源投入直後のコード記録部１１２１には、プログラムコードは存在せず、システム（装置）の電源投入がなされると、コード記録部１１１１に記録されているＢＩＯＳコード部が稼働し、本ＢＩＯＳコード部でハードディスク１０３３等の外部記録媒体内に記録されているＯＳコードをローディング（ハードディスク１０３３に記録されているプログラムコードをコード記録部１１２１に転送）し、コード記録部１１２１に制御を移す（演算部１０１５のプログラムポインタをコード記録部１１２１の規定の位置に設定する）ことによって、ＯＳコード部が稼働する。以上が大まかなＰＣの起動シーケンスである。
【００４２】
また、ＰＣアプリケーションプログラムも上記とほぼ同様の制御によって起動され、ＯＳコード部内に存在する入力手段１０３１や表示手段１０３２の標準入出力デバイスを制御する部分で、利用者の入力内容に基づき、実行指定されたＰＣアプリケーションのプログラムコードをハードディスク１０３３等の外部記録媒体内より、コード記録部１１２１内（ＯＳコードが記録されているエリアと異なるエリア）にローディングし、そのローディングしたＰＣアプリケーションプログラムのコードに制御を移す（演算部１０１５のプログラムポインタをローディングしたＰＣアプリケーションプログラムの規定位置に設定する）ことでアプリケーションプログラムが起動されることになる。
【００４３】
すなわち、ＰＣシステムとは、広域に定義すると、「実行すべき機能を、利用者の指定等に基づき、可変可能なシステム」と言える。なお、ＰＣシステムの起動に時間がかかる要因の１つが、上記ハードディスク１０３３に記録されているプログラムコードをコード記録部１１２１にローディングするという制御である。
【００４４】
以下、上述のように構成された情報機器システムの動作を説明する。
まず、情報機器装置１００のキー制御部１０の制御内容について説明する。
図５乃至図８は、情報機器装置１００のキー制御部１０の制御内容を示すフローチャートである。図中、Ｓはフローの各ステップを示す。
【００４５】
キー制御部１０は、ＡＣ電源８０より、常に、電源供給されているものとしていることから、利用者が、情報機器装置本体１００のＡＣコードを差し込むと同時に、図５のＳＴＡＲＴエントリより制御が開始される。
【００４６】
キー制御部１０では、まず、ステップＳ１でキーボード２００よりインタフェース６０を介して、キーボード２００のキー操作情報が出力されたか否かをチェック、すなわち、図３表▲１▼に示される第１パラメータ（出力端末種類）が０値か否かをチェックし、キーボード２００のキー操作情報である場合には、後述するエントリ▲１▼（図６）へ移行する。
【００４７】
キーボード入力データがなければ、ステップＳ２でキーボード２００よりインタフェース６０を介して、リモコン装置３００のボタン操作情報が出力されたか否かをチェック、すなわち、図３表▲１▼に示される第１パラメータ（出力端末種類）が１値か否かをチェックし、リモコン装置３００のボタン操作情報である場合には、後述するエントリ▲２▼（図７）へ移行する。
【００４８】
リモコン入力データがなければ、ステップＳ３で情報機器装置本体１００内の主電源ボタン１５に対する操作が行われたか否かをチェックし、主電源ボタン１５に対する操作が行われた場合には、後述するエントリ▲３▼（図８）へ移行する。キーボード２００より操作情報が出力されていない時、また、主電源ボタン１５の操作が行われていない時には、ステップＳ１に戻って操作情報が出力されるまで、もしくは、主電源ボタン１５の操作が行われるまで繰り返しチェック制御を行う。
【００４９】
次に、キーボード２００のキー操作情報が出力された時の制御内容について図６を用いて説明する。
まず、ステップＳ１００で現在の電源供給回路５０（電源供給回路Ａ）、電源供給回路５２（電源供給回路Ｂ）ともに、電源供給されていない状態（ＯＦＦ状態）か否かをチェック、すなわち、ＰＣシステムもＴＶ表示システムも起動（稼動）されていない状態か否かをチェックする。両者ともＯＦＦ、すなわち、ＰＣシステムもＴＶ表示システムも起動（稼動）されていない時には、キーボード２００のキー操作情報は、意味をなさない（キー入力データを無視する）ために、何も制御せず、ループエントリＬｐ（図５のステップＳ１）に戻る。
【００５０】
現在の電源供給回路５０（電源供給回路Ａ）、あるいは電源供給回路５２（電源供給回路Ｂ）のいずれかに電源供給されている場合には、ステップＳ１０１で電源供給回路５０（電源供給回路Ａ）がＯＮ状態か否か、すなわち、ＰＣシステムが起動（稼動）されているか否かをチェックし、ＰＣシステムが起動（稼動）されていない、すなわち、ＴＶ表示システムが起動（稼動）されている時には、上記と同様、キーボード２００のキー操作情報は、意味をなさないために、何も制御せず、ループエントリＬｐ（図５のステップＳ１）に戻る。
【００５１】
本実施の形態では、ＴＶ表示時は、キー入力を無視する仕様としているが、入力されたキーに対応するチャンネル切替制御響を実施してもよいし、ＴＶ表示システム稼動状態→ＰＣシステム稼動状態に切替制御した後、ＰＣシステムに入力キーを出力するようにしてもよい。但し、前者の「キーボードでチャンネル切替する」は、利用状況から考えてほとんど発生しないシーンであると考えられるし、また、後者の「キーボードの入力発生＝ＰＣシステム稼動」は、例えば、幼児のキーボードのいたずら等、利用者の予期しないキー入力に対しての対策制御を行わずに実施することはさまざまな問題が発生し得ると考えられる。
【００５２】
上記ステップＳ１０１で電源供給回路５０（電源供給回路Ａ）がＯＮ状態か、すなわち、ＰＣシステムが起動（稼動）されていると判断した場合には、ステップＳ１０２でキーボード２００より出力された操作情報を、そのまま（正確には、付属コードと操作データのみで、出力端末種類に関するコードは除外する必要がある）、ＰＣ制御部２０へ出力し、ループエントリＬｐ（図５のステップＳ１）に戻る。
【００５３】
次に、リモコン装置３００のキー操作情報が出力された時の制御内容について図７を用いて説明する。
まず、ステップＳ２００でリモコン装置３００上に備えられている電源ボタン３１０（図１参照）に対する操作情報か否かをチェックし、電源ボタン３１０に対する操作情報である場合には、ステップＳ２０１で現在の電源供給回路５０（電源供給回路Ａ）、電源供給回路５２（電源供給回路Ｂ）ともに、電源供給されていない状態（ＯＦＦ状態）か否かをチェック、すなわち、ＰＣシステムもＴＶ表示システムも起動（稼動）されていない状態か否かをチェックする。
【００５４】
上記チェックＳ２０１で両者ともＯＦＦ、すなわち、ＰＣシステムもＴＶ表示システムも起動（稼動）されていない時には、リモコン装置の識別コードチェックを行わずに、ステップＳ２０２で電源供給回路５２（電源供給回路Ｂ）、及び電源供給回路５４（回路Ｃ）をＯＮ制御し、ＴＶ表示システムを起動（稼動）させた後、ループエントリＬｐ（図５のステップＳ１）に戻る。
【００５５】
上記チェックＳ２０１でＰＣシステムかＴＶ表示システムのいずれかが起動（稼動）されている場合には、ステップＳ２０３で電源供給回路５０（電源供給回路Ａ）がＯＮ状態か否か、すなわち、ＰＣシステムが起動（稼動）されているか否かをチェックする。ＰＣシステムが起動（稼動）されていない（ＴＶ表示システムが起動している）場合には、上記と同じく、ステップＳ２０４でリモコン装置の識別コードのチェックを行わずに、電源供給回路５２（電源供給回路Ｂ）、及び電源供給回路５４（回路Ｃ）をＯＦＦ制御し、ＴＶ表示システムを停止させた後、ループエントリＬｐ（図５のステップＳ１）に戻る。
【００５６】
ここで、上記のＴＶ表示システムの起動（稼動）／停止制御において、リモコン装置の識別コードのチェックを行っていない理由は、次の理由(1)(2)による。
(1)ハードウェアで（ＰＣアプリケーションソフトウェアとしてではなく）ＴＶ表示機能が実現する場合、「システム（ＴＶ表示機能）稼動に時間がかかる」と言う問題が発生しない、(2)  (1)から、現状のテレビ等のリモコン装置と同様に、あらかじめ規定されたリモコン装置でなくとも、リモコン装置のボタン操作情報を受信したら、その操作情報に基づく制御がなされる仕様にする方が便利であると考えられる、ことによる。
【００５７】
図７のフローに戻って、上記ステップＳ２０３でＰＣシステムが起動（稼動）している場合には、ステップＳ２０５で操作情報を出力したリモコン装置が、本情報機器装置本体１００の対象リモコン装置か否かを、出力された操作情報の付属コード（第２パラメータ）と対象リモコンＩＤ部１２内で記録されている値と比較することでチェックし、一致しなかった場合、すなわち、対象リモコン装置でなかった時には、何の制御も行わずに、ループエントリＬｐ（図５のステップＳ１）に戻る。
【００５８】
また、対象リモコン装置であった場合には、ステップＳ２０６で電源供給回路５０（電源供給回路Ａ）をＯＦＦ制御することで、ＰＣシステムを停止させ、また、電源供給回路５２（電源供給回路Ｂ）をＯＮ制御することで、ＴＶ表示システムを稼動させ、ループエントリＬｐ（図５のステップＳ１）に戻る。
【００５９】
上記制御とする理由は、上述したＴＶ表示システムの起動（稼動）／停止制御とは、全く反対の理由からである。すなわち、ＰＣシステムの停止制御を、操作情報を出力したリモコン装置の識別コードのチェックを行わず実施することは、利用者が意図しない（例えば、同一仕様のＰＣが少し離れた場所にあり、一方をＰＣとして使用している時に、他人が、他方のＰＣのＴＶ表示機能を稼動させるために、リモコン電源ボタンを操作した場合）、ＰＣシステムの停止の復帰（再起動）の待ち時間が長く、非常に時間か無駄となるからである。
【００６０】
ここで、本実施の形態では、発明の特徴部分を分かりやすくするために、ＰＣシステムの起動／停止を、単に、電源供給回路５０（電源供給回路Ａ）のＯＮ／ＯＦＦ制御と言う、簡潔な制御としているが、実際のＰＣシステムの停止制御は、起動されているアプリケーションプログラムの終了処理や、アプリケーションプログラムで作成／更新中のデータファイルのクローズ制御（ＰＣシステムにおいては、データの作成／更新のたびごとに、逐次、ハードディスク等の不揮発性記録部に記録されておらず、データファイルのクローズ制御を行わないと、一部の作成／更新内容は、揮発性のＲＡＭに残存したままとなり、電源オフとともに、ＲＡＭに記されている内容は、消失してしまう）を行う必要があり、詳細には、キー制御部１０よりＰＣ制御部２０に対してシステムオフ命令を出力し、ＰＣ制御部２０では、上記ファイルクローズ制御等の実施後、ＰＣ制御部２０が自ら、もしくは、キー制御部１０に電源供給回路５０のＯＦＦ制御命令を発行し、その命令を受けて、キー制御部１０で電源供給回路５０をＯＦＦ制御する、と言う制御を行う必要がある。
【００６１】
図７のフローに戻って、上記ステップＳ２００で電源ボタン３１０に対する操作情報でない、すなわち、チャンネルボタン３１５に対する操作情報の場合には、ステップＳ２１０で現在の電源供給回路５０（電源供給回路Ａ）、電源供給回路５２（電源供給回路Ｂ）ともに、電源供給されていない状態（ＯＦＦ状態）か否かをチェック、すなわち、ＰＣシステムもＴＶ表示システムも起動（稼動）されていない状態か否かをチェックし、ＰＣシステムもＴＶ表示システムも起動（稼動）されていない時には、何も制御せずに、ループエントリＬｐ（図５のステップＳ１）に戻る。
【００６２】
上記ステップＳ２１０でＰＣシステムかＴＶ表示システムかのいずれかか起動（稼動）している時には、ステップＳ２１１でどちらが起動（稼動）しているかを、電源供給回路５０（電源供給回路Ａ）のＯＮ／ＯＦＦ状態でチェックする。ＴＶ表示システムが起動（稼動）している時は、ステップＳ２１４で出力されたリモコン装置の操作情報（操作されたチャンネルボタン）を、そのまま（正確には、出力端末種類と付属コードは除外し、操作データのみをそのまま）、ＴＶ制御部３０へ出力し、ループエントリＬｐ（図５のステップＳ１）に戻る。
【００６３】
上記ステップＳ２１１で、ＰＣシステムが起動（稼動）している時は、ステップＳ２１２でＩＤが一致したか否かをチェックし、ＩＤが一致していればステップＳ２１３で出力されたリモコン装置の操作情報（操作されたチャンネルボタン）を、キーコードデータに変換し、変換したキーコードデータを、ＰＣ制御部２０へ出力し、ループエントリＬｐ（図５のステップＳ１）に戻る。ＩＤが一致していなければ、そのままループエントリＬｐ（図５のステップＳ１）に戻る。
【００６４】
上記キーコードデータへの変換とは、システムの仕様／起動されているＰＣアプリケーションにも依存するが、例えば、１チャンネルへの切替を意味するボタン（“１”と言う文字が、ボタン上に刻印されている）であれば、キーボード上の“１”が入力された際と同様のキーコードに生成することで、具体的には、Ｍａｋｅ（１）＋“１のキーＮｏ”を出力後、Ｂｒｅａｋ（０）＋“１のキーＮｏ”を出力することになる。
【００６５】
次に、情報機器装置本体１００上に備えられている主電源ボタン１５に対する操作（押下）情報が出力された時の制御内容について図８を用いて説明する。
まず、ステップＳ３００で現在の電源供給回路５０（電源供給回路Ａ）、電源供給回路５２（電源供給回路Ｂ）ともに、電源供給されていない状態（ＯＦＦ状態）か否かをチェック、すなわち、ＰＣシステムもＴＶ表示システムも起動（稼動）されていない状態か否かをチェックする。
【００６６】
両者ともＯＦＦ、すなわち、ＰＣシステムもＴＶ表示システムも起動（稼動）されていない時には、ステップＳ３０１で電源供給回路５０（電源供給回路Ａ）、及び電源供給回路５４（回路Ｃ）をＯＮ制御し、ＰＣシステムを起動（稼動）させた後、ループエントリＬｐ（図５のステップＳ１）に戻る。
【００６７】
上記ステップＳ３００でＰＣシステムかＴＶ表示システムのいずれかが起動（稼動）されている場合には、ステップＳ３０２で電源供給回路５０（電源供給回路Ａ）がＯＮ状態か否か、すなわち、ＰＣシステムが起動（稼動）されているか否かをチェックし、ＰＣシステムが起動（稼動）されている時には、ステップＳ３０３で電源供給回路５０（電源供給回路Ａ）、及び電源供給回路５４（回路Ｃ）をＯＦＦ制御し、ＰＣシステムを停止させた後、ループエントリＬｐ（図５のステップＳ１）に戻る。
【００６８】
上記ステップＳ３０２でＴＶ表示システムが起動（稼動）されている時には、ステップＳ３０４で電源供給回路５０（電源供給回路Ａ）をＯＮ制御、電源供給回路５２（電源供給回路Ｂ）をＯＦＦ制御し、ＴＶ表示システムを停止、ＰＣシステムを起動（稼動）させた後、ループエントリＬｐ（図５のステップＳ１）に戻る。
【００６９】
以上説明したように、本実施の形態の情報機器システムは、情報機器装置１００は、リモコン装置３００からキーボード２００を経由して出力されたリモコンボタンの操作情報が、自機の入力装置対象のリモコン装置からの出力か否かを判断するための識別（ＩＤ）コードを記憶する対象リモコンＩＤ記憶部１２（ＩＤ登録手段）を備え、キー制御部１０は、ＰＣシステムが非稼動中に、リモコン装置３００から情報機器装置１００の電源のオン／オフを操作する操作情報を受信した時、リモコン装置を識別するＩＤに関係なく、ＴＶ表示システム（専用機能システム）が非稼動の時には、ＴＶ表示システムを稼動させ、ＴＶ表示システムが稼動の時には、ＴＶ表示システムを停止させる制御を行うとともに、ＰＣシステムが稼動中に、リモコン装置３００から情報機器装置１００の電源のオン／オフを操作する操作情報を受信した時、あらかじめ登録された自己が制御されるべきリモコン装置のＩＤと一致した場合には、ＰＣシステムの稼動を停止させ、該ＩＤが一致しなかった場合には、ＰＣシステムの稼動の停止をしない制御を行うので、ＴＶ等の家電機器の融通性／操作性を、情報機器（情報家電機器）においても実現することができる。また、ＴＶ等の家電機器と異なり、ＰＣシステム形態をとる情報機器装置は、起動に時間がかかるため、リモコン装置による電源のシステム停止操作を、すべてのリモコン装置を対象とすることによる発生する不具合を防止することができる。
【００７０】
第２の実施の形態
図９は、本発明の第２の実施の形態の情報機器装置本体及び入力装置の構成を示すブロック図である。本実施の形態に係る情報機器装置は、ノート型ＰＣ、ＴＶやビデオデッキ等を操作するリモコン装置を備えたシステムに適用した例である。図２と同一構成部分には同一符号を付して重複部分の説明を省略する。
【００７１】
図９において、情報機器装置本体１００は、キーボードに代表される入力部６２が内蔵されたノート型ＰＣである。また、リモコン装置３００は、この入力部６２が内蔵された情報機器装置本体１００に、利用者の操作情報を無線伝達する、すなわち、ＩＲ等の無線通信部を備えるリモコン装置である。
【００７２】
本実施の形態では、情報機器装置本体１００内に、入力部６２が内蔵されているものを例としているが、これは、第１の実施の形態との相違を明確にしたものにすぎず、リモコン装置３００の操作情報を、キーボードを経由して出力するか（第１の実施の形態）、否か（本実施の形態）である。
【００７３】
本実施の形態は、リモコン装置３００については、第１の実施の形態と同様であり、システム（ＴＶ）電源投入を意味する電源ボタン３１０と、チャンネル切替を意味するチャンネルボタン３１５等の、幾つかの入力部（ボタン）か備えられており、これらボタンが押下された時点で、無線通信部３５０を介して、押下されたボタン情報が、操作情報として出力するものである。
【００７４】
また、出力情報のデータ形式も、図３表▲４▼に示すように、第１の実施の形態と同様で、無線通信媒体を用いて、操作データ出力することから、操作されたボタンＮｏ以外に、受側（この場合、情報機器装置本体１００）で出力機器を特定するためのＩＤ（識別コード）が出力される。
【００７５】
また、情報機器装置本体１００内でのＩＲ受信部６４とキー制御部１０と間のデータ入出力形式も、リモコン装置から出力されるものと、基本的には同様である。但し、リモコン装置から出力されるデータ形式は、無線通信媒体で制御されるものであることから、物理層／下位層まで考えると異なるが、操作データとしての形式は同一である。
【００７６】
また、情報機器装置本体１００側から見た時の自機の対象リモコン装置か否かをチェックするために、リモコン装置のとあるボタンが押下された時の出力データとして、識別コードを操作されたボタンＮｏコードに付与して出力しており、また、このため用に、リモコン装置３００には、このリモコン装置３００を特定するための識別コードが、ＩＤ記憶部３２０内に記録されている。
【００７７】
情報機器装置本体１００は、ＰＣ機能とＴＶ機能との両機能が独立した形態（ＴＶ機能がＰＣアプリケーションとして実現されたものでなく、ハードウェア的に独立した形態）で実現されているものの概要構成で、アプリケーションソフトウェアのプログラムコードやＯＳのプログラムコード等が記録されているハードディスクに代表される記録部２５を主として、その他に、プリンタ等の各種デバイス２８を制御するＰＣ制御部２０からなるグループ（Ａ）と、ＴＶ受信部３５（ＴＶチューナ）と、本ＴＶ受信部３５を制御するＴＶ制御部３０からなるグループ（さらに、これら個々のグループに対し、ＡＣ電源８０の電源を供給、もしくは、遮断する電源供給回路５０と電源供給回路５２、また、個々のグループより出力される表示データを表示する表示部４０と、本表示部４０に対し、ＡＣ電源８０の電源を供給、もしくは、遮断する電源供給回路５４、また、本情報機器装置本体１００内に備えられている主電源ボタン１５に対する利用者の操作情報と、入力部６２に対する利用者の操作情報と、ＩＲ受信部６４を介して、リモコン装置３００より出力されるリモコン装置３００の操作情報とを入力し、前述の各ブロックの制御、もしくは、操作情報の出力を行うキー制御部１０で、本ブロック（キー制御部１０）は、常に、電源供給されているブロックである。
【００７８】
また、キー制御部１０では、リモコン装置から出力されたリモコンボタンの操作情報が、自機（情報機器装置本体１００）の入力装置対象のリモコン装置からの出力か否かを判断するために、自機（情報機器装置本体１００）の入力装置対象のリモコン装置の識別コードが記録されている対象リモコン装置ＩＤ部１２が、キー制御部１０に接続されている。
【００７９】
さらに、入力部６２とキー制御部１０間のデータ形式は、図３表▲３▼に示すように、操作されたキーＮｏコード以外に、Ｂｒｅａｋ（「キーから指を離した」を意味する）操作か、それともＭａｋｅ（「キーを押下した」を意味する）操作かを識別する付属コードが付与されている。
【００８０】
上述から分るように、第１の実施の形態では、キーボード２００より出力されるデータ内に、キーボード２００に対する操作情報か、それとも、リモコン装置３００に対する操作情報かを識別するためのコードが存在し、本コードにて、ＰＣシステムを起動（稼動）するか、ＴＶ表示システムを起動（稼動）するかの選択や、操作情報の出力ブロック先の選択等を行っているのに対し、本実施の形態では、操作情報を出力するブロックそのものが物理的に異なっており、操作情報を出力したブロックが、入力部６２かＩＲ受信部６４かで、ＰＣシステムを起動（稼動）するか、ＴＶ表示システムを起動（稼動）するかの選択や、操作情報の出力ブロック先の選択等を行うものである。すなわち、キー制御部１０の制御内容については、前述した第１の実施の形態のキー制御部１０の制御内容（図５乃至図８）と同様であるため説明は省略する。
【００８１】
第３の実施の形態
上述した第１の及び第２の実施の形態の特徴を要約すれば、ＰＣシステムが起動（稼動）していない時のリモコン装置上に備えられた電源ボタンの操作は、対象リモコン装置である／ないにかかわらず、ＴＶ表示システムを起動（稼動）制御するが、ＰＣシステムが起動（稼動）中の前記電源ボタンの操作は、対象リモコン装置の場合のみ、ＰＣシステムを停止し、ＴＶ表示システムを起動（稼動）制御するというシステムである。言い換えれば、「ＰＣシステムとＴＶ表示システムとは、同時に起動（稼動）しない」ことが前提の例である。本実施の形態は、「ＰＣシステムとＴＶ表示システムと同時に起動（稼動）しており、表示対象のシステム（表示部に表示出力するシステム）が選択されるシステム」に対しての例である。
【００８２】
図１０は、本発明の第３の実施の形態の情報機器装置本体及び入力装置の構成を示すブロック図である。図２と同一構成部分には同一符号を付して重複部分の説明を省略する。
【００８３】
本実施の形態は、以下に示す２点を除き、第１の実施の形態と同様の構成である。相違点の１つ目は、図１０の情報機器装置本体１００は、さらに表示出力制御回路５６（表示選択手段）を備えている。
【００８４】
表示出力制御回路５６は、ＴＶ受信部３５（ＴＶチューナ）より出力される、あるチャンネルのＴＶ受信表示データ、もしくは、ＰＣ制御部２０より出力されるＰＣシステムの表示データのいずれを、表示部４０に出力するかを決定付けるブロックであり、キー制御部１０によって制御される。
【００８５】
相違点の２つ目は、キーボード２００内にも、情報機器装置本体１００が対象とするリモコン装置の識別コードが記録されている記憶部（対象リモコンＩＤ部２１０）が備えられている。
【００８６】
情報機器装置本体１００側の対象リモコンＩＤ部１２に記録されている値とキーボード２００側の対象リモコンＩＤ部２１０に記録されている値とは、一致している必要がある。
【００８７】
本構成により、キーボード２００が情報機器装置本体１００に接続されたタイミングでキーボード２００内の対象リモコンＩＤ部２１０に記録されている値を、情報機器装置本体１００側の対象リモコンＩＤ部１２にコピー制御する必要があるが、この制御については後述する。
【００８８】
さらに、情報機器装置本体１００側の対象リモコンＩＤ部１２に記録されている値を固定させるより、キーボード２００側の対象リモコンＩＤ部２１０に記録されている値を固定させる方が、以下の理由から有利である。
【００８９】
ＰＣ等の情報機器において、本体とキーボードやマウス等の入力装置との情報の伝達媒体を無線（コードレス）化した商品（システム）を実現する際、ＴＶ等の家電機器と異なり、本体と入力装置とを対として、すなわち、対象でない入力装置からの情報を受信しても無視するのが、一般的である。例えば、「隣人の入力が、自分のパソコンの入力データになり得る」は、情報機器商品カテゴリの世界では許されない。このために、情報機器では、少なくとも、本体の数だけ、入力装置が存在し、本体に応じた入力装置を使わないと入力できないと言う課題を持っている。
【００９０】
そこで、上記課題に対して、以下の構成を採ることで課題を解決する。
(1)キーボードをＰＣ（本体）の主入力装置と考え、さらに、本体とキーボードはワイヤード接続されるものを前提とする。
(2)リモコン装置等の入力装置は、キーボードを経由して、情報伝達される。キーボードとリモコン装置間の通信方式は、無線とする。
(3)キーボード内にリモコン装置等の入力装置が、本体に対象の入力装置か否かを判断する部を備えている。
【００９１】
上記構成とすることで、キーボードを持ち歩げば、どのＰＣへもリモコン操作が可能となる。
【００９２】
次に、キー制御部１０の制御内容について図１１乃至図１４を用いて説明する。
本実施の形態では、キー制御部１０は、ＡＣ電源８０より、常に、電源供給されているものとしていることから、利用者が、情報機器装置本体１００のＡＣコードを差し込んだと同時に、前記図５のＳＴＡＲＴエントリより制御が開始される。
【００９３】
図１１において、キー制御部１０では、まず、ステップＳ５０でキーボードが接続されているか否かをチェックし、接続されていない場合には、接続がなされるまで、ウエイトする。キーボードが接続されると、ステップＳ５１でキーボード２００より、対象リモコン装置の識別コードが出力され、そのデータを受信し、対象リモコンＩＤ部１２に記録する。上記ステップＳ５１のキーボード２００側の制御内容については、図１５のフローにより後述する。
【００９４】
ステップＳ５２では、キーボード２００よりインタフェース６０を介して、キーボード２００のキー操作情報が出力されたか否かをチェック、すなわち、図３の表▲５▼に示される第１パラメータ（出力端末種類）が０値か否かをチェックし、キーボード２００のキー操作情報である場合には、後述するエントリ(11)（図１２）へ移行する。
【００９５】
キーボード２００のキー操作情報がない時は、ステップＳ５３でキーボード２００よりインタフェース６０を介して、リモコン装置３００のボタン操作情報が出力されたか否かをチェック、すなわち、図３の表▲５▼に示される第１パラメータ（出力端末種類）が１値か否かをチェックし、リモコン装置３００のボタン操作情報である場合には、後述するエントリ(12)（図１３）へ移行する。
【００９６】
リモコン装置３００のボタン操作情報がない時は、ステップＳ５４で情報機器装置本体１００内に備えられている主電源ボタン１５に対する操作が行われたか否かをチェックし、主電源ボタン１５に対する操作が行われた場合には、後述するエントリ(13)（図１４）へ移行する。
【００９７】
キーボード２００より操作情報が出力されていない時、また、主電源ボタン１５の操作が行われていない時には、ステップＳ５２に戻って操作情報が出力されるまで、もしくは、主電源ボタン１５の操作が行われるまで、繰り返しチェック制御を行う。
【００９８】
次に、キーボード２００のキー操作情報が出力された時の制御内容について図１２を用いて説明する。
まず、ステップＳ１５０で現在の電源供給回路５０（電源供給回路Ａ）が、電源供給されていない状態（ＯＦＦ状態）か否かをチェックし（Ｓ１５０）、ＯＦＦ状態の時には、何も制御せず、ループエントリＬ２（図１１のステップＳ５２）に戻る。
【００９９】
電源供給回路５０（電源供給回路Ａ）がＯＮ状態の時には、ステップＳ１５１でＰＣシステムが表示対象となっているか否かをチェックし、ＰＣシステムが表示対象になっていない時には、ステップＳ１５２でＰＣシステムを表示対象とするために、表示出力制御回路５６を制御する。すでに、ＰＣシステムが表示対象となっている場合には、上記ステップＳ１５２をスキップしてステップＳ１５３に進む。
【０１００】
ステップＳ１５３では、キーボード２００より出力された操作情報を、そのまま（正確には、付属コードと操作データのみで、出力端末種類に関するコードは除外する必要がある）ＰＣ制御部２０へ出力し、ループエントリＬ２（図１１のステップＳ５２）に戻る。
【０１０１】
次に、リモコン装置３００のキー操作情報が出力された時の制御内容について図１３を用いて説明する。
まず、ステップＳ２５０でリモコン装置３００上に備えられている電源ボタン３１０に対する操作情報か否かをチェックし、電源ボタン３１０に対する操作情報である場合には、ステップＳ２５１で現在の電源供給回路５０（電源供給回路Ａ）が電源供給されていない状態（ＯＦＦ状態）か否かをチェックする。現在の電源供給回路５０（電源供給回路Ａ）がＯＦＦ状態の時には、ステップＳ２５２でリモコン装置の識別コードチェックを行わずに、電源供給回路５０（電源供給回路Ａ）、電源供給回路５２（電源供給回路Ｂ）、及び電源供給回路５４（回路Ｃ）をＯＮ制御し、ステップＳ２５３でＴＶ表示システムを表示対象とするために、表示出力制御回路５６を制御して、ＴＶ表示システムを起動（稼動）させた後、ループエントリＬ２（図１１のステップＳ５２）に戻る。
【０１０２】
上記ステップＳ２５１でシステムが起動（稼動）されている場合には、システムＯＮ制御とは異なり、ステップＳ２５４で識別（ＩＤ）コードをチェック、すなわち、対象としているリモコン装置からの電源ボタン操作情報が出力されたか否かをチェックし、対象外の場合には、何も制御せず、ループエントリＬ２（図１１のステップＳ５２）に戻る。
【０１０３】
上記チェックＳ２５４で対象のリモコン装置からの操作情報である場合には、ステップＳ２５５で現在の表示対象システムが、ＰＣシステムを対象としているか否かをチェックする。ＰＣシステムが対象になっている時には、ＴＶ表示システムを表示対象とするために、ステップＳ２５３に進んで表示出力制御回路５６を制御し、逆に、ＴＶ表示システムが表示対象となっている時には、ステップＳ２５６で電源供給回路５０（電源供給回路Ａ）、電源供給回路５２（回路Ｂ）、及び電源供給回路５４（回路Ｃ）をＯＦＦ制御し、ループエントリＬ２（図１１のステップＳ５２）に戻る。
【０１０４】
一方、上記ステップＳ２５０で、電源ボタン３１０に対する操作情報でない、すなわち、チャンネルボタン３１５に対する操作情報の場合には、ステップＳ２６０で現在の電源供給回路５０（電源供給回路Ａ）が、電源供給されていない状態（ＯＦＦ状態）か否かをチェックする。現在の電源供給回路５０（電源供給回路Ａ）がＯＦＦ状態の時には、何も制御せずに、ループエントリＬ２（図１１のステップＳ５２）に戻る。
【０１０５】
上記ステップＳ２６０で現在の電源供給回路５０（電源供給回路Ａ）がＯＮ状態の時には、ステップＳ２６１で現在の表示対象システムがＰＣシステムを対象としているか否かをチェックする。ＰＣシステムが対象になっている時には、ステップＳ２６２でＴＶ表示システムを表示対象とするために、表示出力制御回路５６を制御し、またすでに、ＴＶ表示システムが表示対象となっている場合には、上記ステップＳ２６２をスキップし、ステップＳ２６３でリモコン装置３００より出力された操作情報を、そのまま（正確には、操作データのみで、出力端末種類、付属コードに関するコードは除外する必要がある）ＴＶ制御部３０へ出力し、ループエントリＬ２（図１１のステップＳ５２）に戻る。
【０１０６】
次に、情報機器装置本体１００上に備えられている主電源ボタン１５に対する操作（押下）情報が出力された時の制御内容について図１４を用いて説明する。
まず、ステップＳ３５０で現在の電源供給回路５０（電源供給回路Ａ）が電源供給されていない状態（ＯＦＦ状態）か否かをチェックする。現在の電源供給回路５０（電源供給回路Ａ）がＯＦＦ状態の時には、ステップＳ３５１で電源供給回路５０（回路Ａ）、電源供給回路５２（電源供給回路Ｂ）、及び電源供給回路５４（回路Ｃ）をＯＮ制御し、ＰＣシステムを表示対象とするために、ステップＳ３５２で表示出力制御回路５６を制御してループエントリＬ２（図１１のステップＳ５２）に戻る。
【０１０７】
上記ステップ３５０で電源供給回路５０（電源供給回路Ａ）がＯＮ状態の時には、電源供給回路５０（電源供給回路Ａ）、電源供給回路５２（電源供給回路Ｂ）、ならびに、電源供給回路５４（回路Ｃ）をＯＦＦ制御して（Ｓ３５３）、ループエントリＬ２（図１１のステップＳ５２）に戻る。
【０１０８】
次に、キーボード２００の制御内容について図１５を用いて説明する。
本実施の形態では、図１０に示されるとおり、情報機器装置本体１００側の電源をインタフェース６０、ケーブルを介して、キーボード２００に供給する構成としているため、キーボード２００の制御部は、キーボード２００が情報機器装置本体１００に接続された際に、図１５の処理をエントリ（稼働）する。
【０１０９】
まず、ステップＳ５００でキーボード２００内に記録されている対象リモコン装置を識別するコード、すなわち、対象リモコンＩＤ部２１０の値を、キー制御部１０に出力する。この制御は、前述したように、キーボード２００内の対象リモコンＩＤ部２１０の値を、情報機器装置本体１００のキー制御部１０で、対象リモコンＩＤ部１２にセットするための制御である。
【０１１０】
ステップＳ５０１では、リモコン装置３００より操作情報が出力されたか否かを、キーボード２００のＩＲ受信部２５０から情報出力があったか否かでチェックし、ＩＲ受信部２５０より操作情報の出力がなかった時には、ステップＳ５１０でキーボード２００上の各キー２１５の利用者操作が発生したか否かをチェックする。
【０１１１】
上記ステップＳ５１０で各キー２１５の利用者操作が発生した時には、ステップＳ５１１で出力端末の種類を意味するコードを０値（キーボード操作データ）として、操作されたキーＮｏと操作種（ＢｒｅａｋかＭａｋｅかの付属コード）に付与して情報機器装置本体１００に出力し、ステップＳ５０１に戻る。また、各キー２１５の利用者操作がなかった時は、上記ステップＳ５０１に戻って、いずれかの事象が発生するまで繰り返す。
【０１１２】
上記ステップＳ５０１でリモコン装置３００より操作情報が出力された時には、ステップＳ５０２で対象リモコンＩＤ部２１０とリモコン操作情報に付与して出力されたリモコン装置を識別するための識別（ＩＤ）コードとを比較し、ＩＤが一致すれば、ステップＳ５０４で出力端末の種類を意味するコードを１値（リモコン操作データ）として、受信したリモコン操作情報に付与して、情報機器装置本体１００に出力してステップＳ５０１に戻る。
【０１１３】
上記ステップＳ５０２で識別コードが一致しなかった時には、ステップＳ５０３で電源ボタン３１０に対する操作情報か否かをチェックし、電源ボタン３１０に対する操作情報の時には、前述と同様、出力端末の種類を意味するコードを１値（リモコン操作データ）として上記ステップＳ５０４に進む。上記ステップＳ５０４では、受信したリモコン操作情報（操作ボタンＮｏと送信したリモコンの識別コード）に付与して、情報機器装置本体１００に出力してステップＳ５０１に戻る。上記ステップＳ５０３で電源ボタン３１０でない時、すなわち、チャンネル切替ボタン３１５の操作情報の時には、何も制御せず、ステップＳ５０１に戻る。
【０１１４】
以上説明したように、本実施の形態の情報機器システムは、従来、「リモコン装置は本体機器と対になっているもの」という考え方から、「リモコン装置は情報機器の主入力装置（キーボード）と対になっているもの」と直感できる構成としている。これにより、利用者は、キーボード２００とリモコン装置３００を持って、本体１００の前に行き、キーボード２００を本体１００に接続するだけで、如何なる場所あるパソコンもいつも利用しているリモコン装置により本体操作ができるようになる。この入力装置には、個人の嗜好設定が可能なリモコン装置やキーボードを用いて好適である。また、リモコン操作に対する嗜好処理制御は、リモコン操作情報がキーボードを経由するためリモコン装置側でなくキーボード側で可能となる。この場合、リモコン装置３００は、従来例と異なり、本体１００に対してではなく、キーボード２００との間で無線通信を行うことになるが、本体１００とキーボード２００は使用形態上から近接して置かれるので、利用者からみて使用上の区別はない。
【０１１５】
したがって、利用者は、システムが見かけ上は従来と同様の構成であるため違和感をもつことなく、情報機器装置本体を操作するリモコン装置を、任意かつ直感的に接続でき、操作性を向上させることができる。
【０１１６】
また、リモコン装置自体のサイズ・重量、コストを増大させることなく実施することができる。さらに、本体側ではなくキーボード側にリモコン装置との無線通信部があるため、この無線通信部に故障等が発生した場合でも、本体ユニットを修理するより、安コストで、代替対処がしやすいという効果がある。
【０１１７】
なお、上記各実施の形態では、情報機器システムをＰＣとキーボード、リモコン装置に適用した例であるが、情報機器装置に有線／無線接続される入力装置であればどのような本体機器、入力装置にも適用可能である。例えば、ＰＤＡ（Personal Digital Assistant）や小型ノート型パソコンにも応用できる。
【０１１８】
また、本実施の形態では情報機器システム、情報機器装置及びリモコン装置という名称を用いたが、これは説明の便宜上であり、それぞれパソコンシステム、キーボードや遠隔制御装置等でもよいことは勿論である。さらに、情報機器装置は、どのような専用機能システム、例えばＴＶ受信機、ＤＶＤ等のＡＶ機器機能を備えていてもよく、リモコン装置はこれら機能を入力装置を経由して遠隔操作することができる。また、リモコン装置は、家電機器のものを用いてもよい。
【０１１９】
また、本体に接続された入力装置に対し制御コマンドを無線又は有線通信により送信するようにしているが、遠隔操作できるものであればよく、例えば電波による無線通信であってもよい。また、本体と上記入力装置が、無線接続されるものでもよい。
さらに、上記システムを構成する各機能部、例えば通信部、記憶部等の種類、数及び接続方法などは前述した実施の形態に限られない。
【０１２０】
【発明の効果】
以上、詳述したように、本発明によれば、情報機器装置としての誤動作防止という最低必須条件を満たしながら、家電機器の使い勝手の良さを情報機器装置上で実現することができる。
【０１２１】
また、ＴＶ等の家電機器の融通性／操作性を、情報機器（情報家電機器）においても実現することができる。
また、ＴＶ等の家電機器と異なり、ＰＣシステム形態をとる情報機器装置は、起動に時間がかかるため、リモコン装置による電源のシステム停止操作を、すべてのリモコン装置を対象とすることによる発生する不具合を防止することができる。
【０１２２】
また、リモコン装置によるシステム停止を、あらかじめ定められたものに限定することで、すべてのリモコン装置を対象とすることによる発生する不具合を防止することができる。
さらに、情報機器装置本体を操作する入力装置を、任意かつ直感的に接続でき、操作性を向上させることができる。
【図面の簡単な説明】
【図１】本発明の実施の形態の情報機器システムの外観を示す斜視図である。
【図２】本実施の形態の情報機器装置本体及び入力装置の構成を示すブロック図である。
【図３】本実施の形態の情報機器装置本体及び入力装置のブロック間の入出力情報のデータ形式を表にして示す図である。
【図４】本実施の形態の情報機器システムの標準的なＰＣシステムの基本構成を示す図である。
【図５】本実施の形態の情報機器装置のキー制御部の制御内容を示すフローチャートである。
【図６】本実施の形態の情報機器装置のキー制御部の制御内容を示すフローチャートである。
【図７】本実施の形態の情報機器装置のキー制御部の制御内容を示すフローチャートである。
【図８】本実施の形態の情報機器装置のキー制御部の制御内容を示すフローチャートである。
【図９】本発明の第２の実施の形態の情報機器装置本体及び入力装置の構成を示すブロック図である。
【図１０】本発明の第３の実施の形態の情報機器装置本体及び入力装置の構成を示すブロック図である。
【図１１】本実施の形態の情報機器装置のキー制御部の制御内容を示すフローチャートである。
【図１２】本実施の形態の情報機器装置のキー制御部の制御内容を示すフローチャートである。
【図１３】本実施の形態の情報機器装置のキー制御部の制御内容を示すフローチャートである。
【図１４】本実施の形態の情報機器装置のキー制御部の制御内容を示すフローチャートである。
【図１５】本実施の形態のキーボードの制御内容を示すフローチャートである。
【符号の説明】
１０  キー制御部
１２  対象リモコンＩＤ記憶部（ＩＤ登録手段）
１５  主電源ボタン
２０  ＰＣ制御部
２５  記録部
２８  各種デバイス
３５  ＴＶ受信部
３０  ＴＶ制御部
４０  表示部
５０  電源供給回路（電源供給回路Ａ）
５２  電源供給回路（電源供給回路Ｂ）
５４  電源供給回路（電源供給回路Ｃ）
５６  表示出力制御回路（表示選択手段）
６０  インタフェース
８０  ＡＣ電源
１００  情報機器装置本体
２００  キーボード（入力装置<１>）
２１０  対象リモコンＩＤ部
３００  リモコン装置（入力装置<２>）
３１０  電源ボタン
３１５  チャンネルボタン
３５０  無線通信部
３２０  ＩＤ記憶部
【図１】
0004673527.tif 000002
【図２】
0004673527.tif 000003
【図３】
0004673527.tif 000004
【図４】
0004673527.tif 000005
【図５】
0004673527.tif 000006
【図６】
0004673527.tif 000007
【図７】
0004673527.tif 000008
【図８】
0004673527.tif 000009
【図９】
0004673527.tif 000010
【図１０】
0004673527.tif 000011
【図１１】
0004673527.tif 000012
【図１２】
0004673527.tif 000013
【図１３】
0004673527.tif 000014
【図１４】
0004673527.tif 000015
【図１５】
0004673527.tif 000016